(57)【要約】【課題】作業者が電気機器によって作業するときに、作業者の作業効率が電気機器のケーブルによって低下することを抑制することができる電気機器スタンドを提供すること。【解決手段】本発明の電気機器スタンド１００は、ケーブル９１，９２，９３を有する電気機器８１，８２，８３が直接的に又は間接的に載置可能な第１載置面１０１よりも上方に配置され、ケーブル９１，９２，９３と直接的に又は間接的に接続される接続機器１２０，１３０，１４０が載置される第２載置面２０１を有する載置板２０と、第１載置面１０１から所定高さの位置に載置板２０よりも前方に突出するように配置され、ケーブル９１，９２，９３を支持する支持部５０と、を備えることを特徴とする。【選択図】図１Ａ
2020075316.tif 000002
【特許請求の範囲】
【請求項１】
ケーブルを有する電気機器が直接的に又は間接的に載置可能な第１載置面よりも上方に配置され、前記ケーブルと直接的に又は間接的に接続される接続機器が載置される第２載置面を有する載置板と、
前記第１載置面から所定高さの位置に前記載置板よりも前方に突出するように配置され、前記ケーブルを支持する支持部と、
を備える電気機器スタンド。
【請求項２】
ケーブルを有する電気機器と、
前記ケーブルと直接的に又は間接的に接続される接続機器と、
前記電気機器が直接的に又は間接的に載置可能な第１載置面よりも上方に配置され、前記接続機器が載置される第２載置面を有する載置板と、
前記第１載置面から所定高さの位置に前記載置板よりも前方に突出するように配置され、前記ケーブルを支持する支持部と、
を備える電気機器スタンド。
【請求項３】
前記支持部から上下方向に延びる柱と、
前記柱の周りに回転可能なアームと、
前記アームに支持され、作業者と電気機器との間に配置されることにより作業者をガードするガード部材と、
を備える請求項１又は２に記載の電気機器スタンド。
【請求項４】
前記支持部は、前記接続機器よりも高い位置に配置されている、
請求項１乃至３のいずれか１項に記載の電気機器スタンド。
【請求項５】
前記支持部は、平面視でＵ字型又はＶ字型に前方に突出する形状を有している、
請求項１乃至４のいずれか１項に記載の電気機器スタンド。
【請求項６】
前記支持部は、平面視で前方に突出する第１直線部及び第２直線部を有し、
前記ケーブルは前記第１直線部に支持されており、
前記支持部は、前記第１直線部に対し、前記第１直線部が直線状に延びる方向に移動可能に取り付けられた移動部材と、前記移動部材に取り付けられ、前記ケーブルが引っ掛かり可能なフック部と、を有する、
請求項５に記載の電気機器スタンド。
【請求項７】
前記第１直線部及び／又は前記第２直線部は、その長さを変更可能に構成される、
請求項６に記載の電気機器スタンド。
【発明の詳細な説明】
【技術分野】
【０００１】
本発明は、電気機器を載置する電気機器スタンドに関する。
【背景技術】
【０００２】
特許文献１には、半田の作業性を向上させるために、半田鏝を置くための台が開示されている。このような台は、作業者が、半田付け作業の前後に、一時的に半田鏝を手から離したいときに用いられる。
【先行技術文献】
【特許文献】
【０００３】
【特許文献１】特開平１０−３２３７５３号公報
【発明の概要】
【発明が解決しようとする課題】
【０００４】
しかしながら、半田鏝を手から離した後に半田付けを修正したいという場合に、半田鏝のケーブルが作業台上にあると、半田吸取器を操作する上で邪魔になる。また、半田鏝のケーブルと半田吸取器のケーブルとが絡まると、半田付けの作業において、それらのケーブルが邪魔になる。これらのケーブルに限らず、一般的に、電気機器のケーブルは、作業者が作業をする上で邪魔になる。邪魔なケーブルにより、作業者の作業効率が低下する可能性がある。
【０００５】
本発明は、作業者が電気機器によって作業するときに、作業者の作業効率が電気機器のケーブルによって低下することを抑制することができる電気機器スタンドを提供することを目的とする。
【課題を解決するための手段】
【０００６】
（１）  本発明は、ケーブル（例えば、後述のケーブル９１，９２，９３）を有する電気機器（例えば、後述の半田鏝８１，ワイヤーストリッパー８２，半田吸取鏝８３）が直接的に又は間接的に載置可能な第１載置面（例えば、後述の第１載置面１０１）よりも上方に配置され、前記ケーブル（例えば、後述のケーブル９１，９２，９３）と直接的に又は間接的に接続される接続機器（例えば、後述の第１制御器１２０，第２制御器１３０，第３制御器１４０）が載置される第２載置面（例えば、後述の第２載置面２０１）を有する載置板（例えば、後述の載置板２０）と、前記第１載置面から所定高さの位置に前記載置板よりも前方に突出するように配置され、前記ケーブルを支持する支持部（例えば、後述の支持部５０，２５０，３５０，４５０）と、を備える電気機器スタンド（例えば、後述の電気機器スタンド１００）に関する。
【０００７】
（２）  本発明は、ケーブルを有する電気機器と、前記ケーブルと直接的に又は間接的に接続される接続機器と、前記電気機器が直接的に又は間接的に載置可能な第１載置面よりも上方に配置され、前記接続機器が載置される第２載置面を有する載置板と、前記第１載置面から所定高さの位置に前記載置板よりも前方に突出するように配置され、前記ケーブルを支持する支持部と、を備える電気機器スタンドに関する。
【０００８】
（３）  （１）又は（２）の電気機器スタンドは、前記支持部から上下方向に延びる柱（例えば、後述の柱６０）と、前記柱の周りに回転可能なアーム（例えば、後述のアーム７１）と、前記アームに支持され、作業者と電気機器との間に配置されることにより作業者をガードするガード部材（例えば、後述のガード部材７２）と、を備えていてもよい。
【０００９】
（４）  （１）乃至（３）のいずれかの電気機器スタンドにおいて、前記支持部は、前記接続機器よりも高い位置に配置されていてもよい。
【００１０】
（５）  （１）乃至（４）のいずれかの電気機器スタンドにおいて、前記支持部は、平面視でＵ字型又はＶ字型に前方に突出する形状を有していてもよい。
【００１１】
（６）  （５）の電気機器スタンドにおいて、前記支持部は、平面視で前方に突出する第１直線部（例えば、後述の第１直線部５１，２５１，３５１，４５１）及び第２直線部（例えば、後述の第２直線部５２，２５２，３５２，４５２）を有し、前記ケーブルは前記第１直線部に支持されており、前記支持部は、前記第１直線部に対し、前記第１直線部が直線状に延びる方向に移動可能に取り付けられた移動部材（例えば、後述の移動部材６１，３６１，４６１）と、前記移動部材に取り付けられ、前記ケーブルが引っ掛かり可能なフック部（例えば、後述のフック部６５，３６５，４６５）と、を有してもよい。
【００１２】
（７）  （６）の電気機器スタンドにおいて、前記第１直線部及び／又は前記第２直線部は、その長さを変更可能に構成されてもよい。
【発明の効果】
【００１３】
本発明によれば、作業者が電気機器によって作業するときに、電気機器のケーブルによって作業効率が低下することが抑制される。
【図面の簡単な説明】
【００１４】
【図１Ａ】本発明の第１実施形態に係る電気機器スタンドの斜視図である。
【図１Ｂ】本発明の第１実施形態に係る電気機器スタンドの連結部の拡大側面図である。
【図２Ａ】本発明の第１実施形態に係る電気機器スタンドに設けられる半田鏝及び第１制御器のブロック図である。
【図２Ｂ】本発明の第１実施形態に係る電気機器スタンドに設けられるワイヤーストリッパー及び第２制御器のブロック図である。
【図２Ｃ】本発明の第１実施形態に係る電気機器スタンドに設けられる半田吸取鏝及び第３制御器のブロック図である。
【図３】本発明の第１実施形態に係る電気機器スタンドの支持部、床板、載置板の平面図である。
【図４Ａ】本発明の第１実施形態に係る電気機器スタンドの第１直線部の一部拡大側面図である。
【図４Ｂ】本発明の第１実施形態に係る電気機器スタンドの第１直線部の断面図である。
【図５】本発明の第１実施形態に係る電気機器スタンドを用いる作業者の作業時の様子を示す斜視図である。
【図６】本発明の第２実施形態に係る電気機器スタンドの支持部の一部拡大斜視図である。
【図７Ａ】本発明の第３実施形態に係る電気機器スタンドの第１直線部の一部拡大側面図である。
【図７Ｂ】本発明の第３実施形態に係る電気機器スタンドの第１直線部の断面図である。
【図８Ａ】本発明の第４実施形態に係る電気機器スタンドの第１直線部の一部拡大側面図である。
【図８Ｂ】本発明の第４実施形態に係る電気機器スタンドの第１直線部の断面図である。
【発明を実施するための形態】
【００１５】
［第１実施形態］
〔電気機器スタンドの全体構成〕
図１Ａは、本発明の第１実施形態に係る電気機器スタンドの斜視図である。図１Ｂは、本発明の第１実施形態に係る電気機器スタンドの連結部の側面図である。図１Ａ中の座標軸は、前後方向Ｘ（前方向Ｘ１，後方向Ｘ２）、左右方向Ｙ（左方向Ｙ１，右方向Ｙ２）、上下方向Ｚ（上方向Ｚ１，下方向Ｚ２）を示す。また、図２Ａは、本発明の第１実施形態に係る電気機器スタンドに設けられる半田鏝及び第１制御器のブロック図である。図２Ｂは、本発明の第１実施形態に係る電気機器スタンドに設けられるワイヤーストリッパー及び第２制御器のブロック図である。図２Ｃは、本発明の第１実施形態に係る電気機器スタンドに設けられる半田吸取鏝及び第３制御器のブロック図である。
【００１６】
図１Ａ〜図２Ｃに示すように、電気機器スタンド１００は、床板１０と、半田鏝８１と、ワイヤーストリッパー８２と、半田吸取鏝８３と、載置板２０と、第１制御器１２０と、スイッチ部１１０と、第２制御器１３０と、第３制御器１４０と、支持部５０と、柱６０と、アーム７１と、ガード部材７２と、を備える。半田鏝８１、ワイヤーストリッパー８２及び半田吸取鏝８３は、本発明における「電気機器」の例である。第１制御器１２０、第２制御器１３０及び第３制御器１４０は、本発明における「接続機器」の例である。
【００１７】
［床板］
床板１０は、上面に第１載置面１０１を有する。第１載置面１０１には、半田鏝８１、ワイヤーストリッパー８２及び半田吸取鏝８３がそれぞれ置かれる半田鏝台８６，ストリッパー台８７及び吸取鏝台８８が、載置されている。半田鏝８１、ワイヤーストリッパー８２及び半田吸取鏝８３がそれぞれ置かれる半田鏝台８６，ストリッパー台８７及び吸取鏝台８８が、床板１０の第１載置面１０１の上に配置される場合は、半田鏝台８６，ストリッパー台８７及び吸取鏝台８８が載置板２０の第２載置面２０１（詳細は後述）の上に配置される場合よりも、作業者にとって半田鏝８１、ワイヤーストリッパー８２及び半田吸取鏝８３の使い勝手が良いからである。
【００１８】
［半田鏝］
半田鏝８１は、半田付けのための工具（熱付与機器）であり、例えば加工対象物としてのプリント配線基板２００（図５参照）及びプリント配線基板２００に塗布する接着材としての半田に熱を付与して、半田により電子部品をプリント配線基板２００に付けるための工具である。半田鏝８１には、電力を供給するためのケーブル９１が取り付けられている。半田鏝８１は、使用しないときには、置台である半田鏝台８６に載置される。
【００１９】
［ワイヤーストリッパー］
ワイヤーストリッパー８２は、例えば加工対象物としての芯線の被覆部材に熱を付与して、芯線から被覆部材を剥がすための工具（熱付与機器）である。ワイヤーストリッパー８２は、被覆部材で被覆された芯線を挟持可能なブレードを有し、被覆部材で被覆された芯線を、熱が付与されたブレードによって挟持することにより、芯線から被服部材を切除して剥がすことができる。ワイヤーストリッパー８２には、電力を供給するためのケーブル９２が取り付けられている。ワイヤーストリッパー８２は、使用しないときには、置台であるストリッパー台８７に載置される。
［半田吸取鏝］
【００２０】
半田吸取鏝８３は、例えば接着材しての半田を溶融させて吸い取るための工具（熱付与機器）である。半田吸取鏝８３には、電力を供給するためのケーブル９３が取り付けられている。半田吸取鏝８３は、半田付けされた箇所の修理に用いられる工具であり、修正しないときには使われない。半田吸取鏝８３は、使用しないときには、置台である吸取鏝台８８に載置される。
【００２１】
［載置板］
載置板２０は、第１載置面１０１よりも上方に配置され、第２載置面２０１を有する。載置板２０は、耐熱性が高い金属製の材質で成形されている。載置板２０は、上方から落下する落下物が半田鏝８１、ワイヤーストリッパー８２、半田吸取鏝８３に接触するのを抑制する。第２載置面２０１には、第１制御器１２０と、第２制御器１３０と、第３制御器１４０と、が載置されている。
【００２２】
［第１制御器１２０］
第１制御器１２０は、半田鏝８１の鏝先の温度を制御（調節）する機器である。第１制御器１２０により鏝先の温度が変更されるように制御されることにより、半田の溶融具合が定まる。第１制御器１２０は、ケーブル１１１によりスイッチ部１１０と接続されている。第１制御器１２０は、このスイッチ部１１０を介してケーブル９１及び半田鏝８１と電気的に接続されている。第１制御器１２０は、半田鏝８１の温度を上昇させるための上昇ボタン１２１と、半田鏝８１の温度を下降させるための下降ボタン１２２と、を有する（図２Ａ参照）。また、第１制御器１２０は、第１電源部１２５に接続されている（図２Ａ参照）。
【００２３】
［スイッチ部］
スイッチ部１１０は、オンボタン１１２と、オフボタン１１３と、ランプ１１４と、を有する。オンボタン１１２は、半田鏝８１に電気を供給するためにスイッチ部１１０をオンにするボタンである。オフボタン１１３は、半田鏝８１に供給する電気を停止するためにスイッチ部１１０をオフにするボタンである。ランプ１１４は、スイッチ部１１０がオンになっている間（稼働中）に点灯する。
【００２４】
スイッチ部１１０は、タイマーを有しており、半田鏝８１がオンの状態になっていても、タイマーにより設定された残りの所定時間が経過すると、半田鏝８１がオフの状態に自動的に切り替わるようになっている。これは、オンの状態が長時間継続したまま作業者がオフの状態への切り替えを忘れた場合に自動的にオフに切り替えさせ、事故などが発生することを回避するためである。または、作業者が半田鏝８１を電気がオン状態のまま床に落とし、作業者が直ちにオフの状態への切り替えができない場合に自動的にオフに切り替えさせ、事故が発生することを回避するためである。また、地震などにより電源が喪失した後、電源が復旧した場合には、電源はオンしない。
【００２５】
作業者は、作業時間を延長したい場合には、オンボタン１１２を再び押してスイッチ部１１０をオンの状態の時間を延長し、ランプ１１４が点灯した状態にする必要がある。このようにスイッチ部１１０のオンの状態が所定時間単位で限定されるため、安全性が向上する。
【００２６】
［第２制御器１３０］
第２制御器１３０は、ワイヤーストリッパー８２のブレードの温度を制御（調節）する機器である。第２制御器１３０によりワイヤーストリッパー８２のブレードの温度が変更されるように制御されることにより、芯材の被覆部材の切断具合が定まる。第２制御器１３０は、ケーブル９２を介してワイヤーストリッパー８２に接続されている。第２制御器１３０は、ワイヤーストリッパー８２のブレードの温度を上昇させる上昇ボタン１３１と、ワイヤーストリッパー８２のブレードの温度を下降させる下降ボタン１３２と、を有する（図２Ｂ参照）。また、第２制御器１３０は、第２電源部１３５に接続されている（図２Ｂ参照）。
【００２７】
［第３制御器１４０］
第３制御器１４０は、半田吸取鏝８３が半田を吸い取るための吸取力を制御（調節）する機器であり、そのような吸取力を発生させるためのポンプ１４１及び負圧発生タンク１４２を有する（図２Ｃ参照）。第３制御器１４０は、ケーブル９３を介して半田吸取鏝８３に接続されている。第３制御器１４０は、半田吸取鏝８３が半田を溶融させる鏝先の温度を上昇させる上昇ボタン１４３と、半田吸取鏝８３が半田を溶融させる鏝先の温度を下降させる下降ボタン１４４と、を有する（図２Ｃ参照）。また、第３制御器１４０は、第３電源部１４５に接続されている（図２Ｃ参照）。
【００２８】
［支持部］
支持部５０は、ケーブル９１，９２，９３の一部分を支持する部位である。支持部５０は、第１載置面１０１から所定高さの位置、具体的には、第２載置面２０１及びこれに載置された第１制御器１２０，第２制御器１３０及び第３制御器１４０よりも高い位置に配置されている。支持部５０は、載置板２０よりも前方（前方向Ｘ１）に突出するように配置されている。前方は、一般的には作業者に対向する側である。
【００２９】
図３は、支持部５０、床板１０及び載置板２０を上方から見た平面図である。支持部５０は、第１直線部５１、第２直線部５２、第３直線部５３及び第４直線部５４を有する。
【００３０】
支持部５０は、平面視でＶ字型に前方に突出する形状を有している。詳細には、第１直線部５１及び第２直線部５２は、平面視でＶ字型に前方に突出する。第１直線部５１の後端部（後方向Ｘ２の端部）は、第３直線部５３の前端部（前方向Ｘ１の端部）に接続されている。第２直線部５２の後端部（後方向Ｘ２の端部）は、第４直線部５４の前端部（前方向Ｘ１の端部）に接続されている。また、第１直線部５１の前端部（前方向Ｘ１の端部）と第２直線部５２の前端部（前方向Ｘ１の端部）とが接続されている。
【００３１】
第１直線部５１の長さａは、第２直線部５２の長さｂよりも長く設定されている（ａ＞ｂ）。第１直線部５１の左右方向Ｙの仮想軸ｅに対する角度θ１は、第２直線部５２の左右方向Ｙの仮想軸ｆに対する角度θ２よりも小さく設定されている（θ１＜θ２）。第１直線部５１の前端部及び第２直線部５２の前端部は、載置板２０から寸法ｃだけ前方向Ｘ１に突出している。ケーブル９１，９２，９３は、第１直線部５１に支持されている。
【００３２】
図４Ａは、第１直線部５１の一部拡大側面図である。図４Ｂは、第１直線部５１の断面図である。図４Ａ及び図４Ｂに示されるように、支持部５０は、第１直線部５１と、移動部材６１と、フック部６５と、を有する。
【００３３】
第１直線部５１は、凹部５５と、抜け止め部５６と、を有する。凹部５５は、第１直線部５１が延びる方向に沿って形成されており、後述する移動部材６１の移動をガイドする部位である。凹部５５は、第１直線部５１の前方向Ｘ１側の側面に形成されている。抜け止め部５６は、移動部材６１が第１直線部５１から抜けるのを防止するために凹部５５の開口を狭めた部位である。
【００３４】
移動部材６１は、第１直線部５１に対し、第１直線部５１が直線状に延びる方向に移動可能に取り付けられた部材である。移動部材６１は、係合部６２と、引っ掛け部６３と、を有する。係合部６２は、凹部５５の中に配置され、抜け止め部５６に係合し、凹部５５に沿って横方向に移動可能に構成されている。係合部６２の上下方向Ｚの寸法は、抜け止め部５６の上下方向Ｚの間隔よりも大きく設定されている。引っ掛け部６３は、フック部６５を引っ掛ける孔６４を有する。
【００３５】
フック部６５は、ケーブル９１，９２，９３を引っ掛けることができるように、環状又は略環状に形成された部位である。この構成の場合には、フック部６５はケーブル９１，９２，９３を吊り下げることになるので、支持部５０は、ケーブルハンガーと表現することもできる。フック部６５は、隙間部６６を有する。そのために、作業者は、ケーブル９１，９２，９３を、隙間部６６を通してフック部６５に引っ掛けることができ、隙間部６６を通してフック部６５から取り外すこともできる。この隙間部６６は、ケーブル９１，９２，９３を引っ掛けている間に閉じた状態になっていてもよい。
【００３６】
［柱］
柱６０は、支持部５０から上下方向Ｚに延びており、支持部５０に接合されている。また、柱６０は、床板１０及び載置板２０に固定されている。
【００３７】
［アーム］
アーム７１は、柱６０の周りに回転可能な部材である。アーム７１は、柱６０と連結されるための連結部７０を有する。連結部７０は、図１Ｂに示されるように、水平方向回転部７０１と、上下方向回転部７０２と、を有する。
水平方向回転部７０１は、柱６０の周りを囲む環状の部位である。水平方向回転部７０１が柱６０の周りを回転可能であることから、作業者は、後述するガード部材７２を左右方向Ｙに揺動させることができる。なお、図１Ａ及び図５には、揺動方向Ｒが示されている。
上下方向回転部７０２は、水平方向回転部７０１に設けられた水平軸（不図示）の周りに回転可能に取り付けられた部位である。上下方向回転部７０２が水平方向回転部７０１の水平軸（不図示）の周りを回転可能であることから、作業者は、後述するガード部材７２を上下方向Ｚに揺動させることができる。
【００３８】
［ガード部材］
ガード部材７２は、アーム７１に支持された部材であり、作業者と電気機器（半田鏝８１、ワイヤーストリッパー８２、半田吸取鏝８３）との間に配置されることにより、作業者を、電気機器に起因する事象からガードする部材である。ガード部材７２は、透明な材質により構成されている。
ガード部材７２は、作業者と半田鏝８１の間に配置されることにより、プリント配線基板２００又は半田が熱を受けて発生する煙が作業者に向かってくることをガードする。また、ガード部材７２は、作業者と半田鏝８１の間に配置されることにより、フラックスから飛散する飛散物が作業者に向かってくることをガードする。また、ガード部材７２は、作業者とワイヤーストリッパー８２の間に配置されることにより、加工対象物としての芯線の被覆部材が熱を受けて発生する煙が作業者に向かってくることをガードする。
【００３９】
次に、電気機器スタンド１００を用いた作業方法の一例を簡単に説明する。図５は、作業者による作業の過程を示す斜視図である。作業者は、プリント配線基板２００を作業台３００の上に載置する。作業者は、ガード部材７２を、柱６０の周りに回転させ、プリント配線基板２００と作業者との間に配置する。作業者は、スイッチ部１１０のオンボタン１１２を押す。作業者は、半田鏝８１を半田鏝台８６から持ち上げ、プリント配線基板２００に電子回路（不図示）を半田付けする。
【００４０】
作業者は、半田付け作業を終了すると、半田鏝８１を半田鏝台８６の上に載置し、スイッチ部１１０のオフボタン１１３を押す。作業者は、ガード部材７２を、柱６０の周りに回転させ、プリント配線基板２００と作業者との間から別の場所の上に配置する。
【００４１】
〔第１実施形態の効果〕
第１実施形態の電気機器スタンド１００によれば、例えば、以下の効果が奏される。
（１）第１実施形態の電気機器スタンド１００は、ケーブル９１，９２，９３を有する半田鏝８１，ワイヤーストリッパー８２，半田吸取鏝８３が直接的に又は間接的に載置可能な第１載置面１０１よりも上方に配置され、ケーブル９１，９２，９３と直接的に又は間接的に接続される第１制御器１２０，第２制御器１３０，第３制御器１４０が載置される第２載置面２０１を有する載置板２０と、第１載置面１０１から所定高さの位置に載置板２０よりも前方に突出するように配置され、ケーブル９１，９２，９３を支持する支持部５０と、を備える。
【００４２】
（２）または、第１実施形態の電気機器スタンド１００は、ケーブル９１，９２，９３を有する半田鏝８１，ワイヤーストリッパー８２，半田吸取鏝８３と、ケーブル９１，９２，９３と直接的に又は間接的に接続される第１制御器１２０，第２制御器１３０，第３制御器１４０と、半田鏝８１，ワイヤーストリッパー８２，半田吸取鏝８３が直接的に又は間接的に載置可能な第１載置面１０１よりも上方に配置され、第１制御器１２０，第２制御器１３０，第３制御器１４０が載置される第２載置面２０１を有する載置板２０と、第１載置面１０１から所定高さの位置に載置板２０よりも前方に突出するように配置され、ケーブル９１，９２，９３を支持する支持部５０と、を備える。
【００４３】
そのため、作業者が半田鏝８１，ワイヤーストリッパー８２，半田吸取鏝８３によって作業するときに半田鏝８１，ワイヤーストリッパー８２，半田吸取鏝８３のケーブル９１，９２，９３によって作業効率が低下することが抑制される。
すなわち、作業者が半田鏝８１，ワイヤーストリッパー８２，半田吸取鏝８３によって作業するときに、半田鏝８１，ワイヤーストリッパー８２，半田吸取鏝８３のケーブル９１，９２，９３が作業台上に這っていると邪魔である。支持部５０がケーブル９１，９２，９３を第１載置面１０１の上方かつ載置板２０の前方で支持していると、ケーブル９１，９２，９３が空中で整頓されて這い回されることになる。そのため、ケーブル９１，９２，９３の取り回しが複雑にならず、ケーブル９１は作業者にとって作業の邪魔になり難い。その結果、作業者の作業効率の低下が抑制される。
【００４４】
また、半田鏝８１のケーブル９１，ワイヤーストリッパー８２のケーブル９２，半田吸取鏝８３のケーブル９３が作業台３００上に配置されていると、ケーブル９１，９２，９３が絡まる可能性がある。しかし、ケーブル９１，９２，９３が支持部５０により支持されているとケーブル９１，９２，９３が絡まり難い。
【００４５】
また、載置板２０の下方に半田鏝８１，ワイヤーストリッパー８２，半田吸取鏝８３が配置され、載置板２０の上方に第１制御器１２０，第２制御器１３０，第３制御器１４０が配置されることになり、縦方向にスペースが有効活用される。第１制御器１２０，第２制御器１３０，第３制御器１４０が作業台上を占有してしまうと、作業台３００上の作業面積が狭くなる。しかし、第１制御器１２０，第２制御器１３０，第３制御器１４０が載置板２０の上に配置されることにより、作業台３００上に直接に配置される機器の面積が減少する。
また、載置板２０を境界として、半田鏝８１，ワイヤーストリッパー８２，半田吸取鏝８３から、第１制御器１２０，第２制御器１３０，第３制御器１４０は隔離される。
【００４６】
（３）支持部５０から上下方向に延びる柱６０と、柱６０の周りに回転可能なアーム７１と、アーム７１に支持され、作業者と電気機器（半田鏝８１，ワイヤーストリッパー８２，半田吸取鏝８３）との間に配置されることにより作業者をからガードするガード部材７２と、を備える。そのため、作業者がプリント配線基板２００と作業者との間にガード部材７２を配置することにより、半田の煙を遮断又はフラックスの飛散を遮断し、作業者が半田鏝８１による半田付けの作業中にプリント配線基板２００から顔に向かって立ちのぼる半田の煙を吸うことや、弾けて作業者へ向かってくるフラックスにより火傷することが抑制される。また、作業の安全性が向上する。
また、上方から半田鏝８１に落下してくる落下物があっても、落下物がガード部材７２に当たることが期待される。これにより、落下物が半田鏝８１に接触するということが抑制される。
【００４７】
（４）支持部５０は、第１制御器１２０，第２制御器１３０，第３制御器１４０よりも高い位置に配置されている。そのため、半田鏝８１と第１制御器１２０との間のケーブル９１，１１１が山なりに配置され、ワイヤーストリッパー８２と第２制御器１３０との間のケーブル９２が山なりに配置され、半田吸取鏝８３と第３制御器１４０との間のケーブル９３が山なりに配置される。これにより、ケーブル９１，９２，９３同士の絡まりが抑制される。
【００４８】
（５）支持部５０は、平面視でＶ字型に前方に突出する第１直線部５１及び第２直線部５２を有し、第１直線部５１は第２直線部５２よりも長く設定され、ケーブル９１，９２，９３は第１直線部５１に支持されている。そのため、ケーブル９１，９２，９３が支持される位置同士の間隔が大きく確保され、ケーブル９１，９２，９３同士の前方向Ｘ１及び後方向Ｘ２の位置が異なるように配置される。その結果、ケーブル９１，９２，９３同士が絡まることが抑制される。
【００４９】
すなわち、ケーブル９１，９２，９３が支持される位置同士の間隔が大きく確保されるようにするためには、第１直線部５１と第２直線部５２のうちの長い方の第１直線部５１が使用される必要がある。なお、第１直線部５１が長過ぎると第１直線部５１が出っ張り過ぎて作業者の作業の邪魔になるため、その第１直線部５１の出っ張り過ぎを抑制するために第２直線部５２が短く設定されている。
また、第１直線部５１及び第２直線部５２がＶ字型に前方に突出することから、第１直線部５１が左右方向Ｙに対して所定角度傾斜して配置されることになる。これにより、作業者は、ケーブル９１，９２，９３の支持位置を、左右方向Ｙだけでなく前後方向Ｘでも異なるように配置することができる。
【００５０】
（６）支持部５０は、第１直線部５１に対し、第１直線部５１が直線状に延びる方向に移動可能に取り付けられた移動部材６１と、移動部材６１に取り付けられ、ケーブル９１，９２，９３が引っ掛かり可能なフック部６５と、を有する。そのため、ケーブル９１，９２，９３の支持位置が変更可能である。
【００５１】
［第２実施形態］
図６は、第２実施形態に係る電気機器スタンドの第１直線部及び第２直線部の斜視図である。第１直線部２５１及び第２直線部２５２は、その長さを変更可能に構成される。
【００５２】
第１直線部２５１は、第１基準部材５１１と、第１延長部材５１２と、を有する。第１基準部材５１１は、筒状に形成されており、開口５１５を有する。第１延長部材５１２は、開口５１５から挿入されており、第１基準部材５１１の内部に対して出し入れ可能に嵌合されている。第１延長部材５１２が第１基準部材５１１の内部に入り込んでいるときには、第１直線部２５１は短縮されている。第１延長部材５１２が第１基準部材５１１の外部に引き出されているときには、第１直線部２５１は延長されている。第１延長部材５１２の先端部には、孔５１３が形成されている。
【００５３】
第２直線部２５２は、第２基準部材５２１と、第２延長部材５２２と、を有する。第２基準部材５２１は、筒状に形成されており、開口５２５を有する。第２延長部材５２２は、開口５２５から挿入されており、第２基準部材５２１の内部に対して出し入れ可能に嵌合されている。第２延長部材５２２が第２基準部材５２１の内部に入り込んでいるときには、第２直線部２５２は短縮されている。第２延長部材５２２が第２基準部材５２１の外部に引き出されているときには、第２直線部２５２は延長されている。第２延長部材５２２の先端には、平板５２３が取り付けられている。平板５２３には、孔５２４が形成されている。
【００５４】
前述の孔５１３及び孔５２４には、ボルト５３１が挿通されている。ボルト５３１にナット５３２が締結されて、抜けが防止されている。これにより、第１直線部５１の前端部及び第２直線部５２の前端部が連結されている。
【００５５】
第２実施形態の電気機器スタンドによれば、電気機器スタンドの第１直線部２５１及び第２直線部２５２は、その長さを変更可能に構成される。そのために、作業者は、第１直線部２５１及び第２直線部２５２の長さを変更して、作業者が使い易い位置にケーブル９１，９２，９３の支持位置を調整することができる。
【００５６】
［第３実施形態］
図７Ａは、第３実施形態に係る電気機器スタンドの第１直線部の一部拡大側面図である。図７Ｂは、第３実施形態に係る電気機器スタンドの第１直線部の断面図である。図７Ａ及び図７Ｂに示されるように、支持部３５０は、第１直線部３５１と、移動部材３６１と、フック部３６５と、を有する。
【００５７】
第１直線部３５１は、凹部３５５と、抜け止め部３５６と、を有する。凹部３５５は、第１直線部３５１が延びる方向に沿って形成されており、後述する移動部材３６１の移動をガイドする部材である。凹部３５５は、第１直線部３５１の下面に形成されており、上方に向かって凹む。抜け止め部３５６は、移動部材３６１が第１直線部３５１から抜けるのを防止するために凹部３５５の開口を狭めた部位である。
【００５８】
移動部材３６１は、第１直線部３５１に対し、第１直線部３５１が直線状に延びる方向に移動可能に取り付けられた部材である。移動部材３６１は、係合部３６２と、引っ掛け部３６３と、を有する。係合部３６２は、凹部３５５の中に配置され、抜け止め部３５６に係合し、凹部３５５に沿って第１直線部３５１の延びる方向に移動可能に構成されている。係合部３６２の幅方向の寸法は、抜け止め部３５６同士の幅方向の間隔よりも大きく設定されている。引っ掛け部３６３は、フック部３６５を引っ掛ける孔３６４を有する。
【００５９】
フック部３６５は、ケーブル９１，９２，９３を引っ掛けることができるように、環状又は略環状に形成された部位である。この構成の場合には、フック部３６５はケーブル９１，９２，９３を吊り下げることになるので、支持部３５０は、ケーブルハンガーと表現することもできる。フック部３６５は、隙間部３６６を有する。そのために、作業者は、ケーブル９１，９２，９３を、隙間部３６６を通してフック部３６５に引っ掛けることもでき、また、隙間部３６６を通してフック部３６５から取り外すこともできる。この隙間部３６６は、ケーブル９１，９２，９３を引っ掛けている間に閉じた状態になっていてもよい。
【００６０】
［第４実施形態］
図８Ａは、第４実施形態に係る電気機器スタンドの第１直線部の一部拡大側面図である。図８Ｂは、第４実施形態に係る電気機器スタンドの第１直線部の断面図である。図８Ａ及び図８Ｂに示されるように、支持部４５０は、第１直線部４５１と、移動部材４６１と、フック部４６５と、を有する。
【００６１】
第１直線部４５１は、凹部４５５と、抜け止め部４５６と、を有する。凹部４５５は、第１直線部４５１が延びる方向に沿って形成されており、後述する移動部材４６１の移動をガイドする部材である。凹部４５５は、第１直線部４５１の上面に形成されており、下方に向かって凹む。抜け止め部４５６は、移動部材４６１が第１直線部４５１から抜けるのを防止するために凹部４５５の開口を狭めた部位である。
【００６２】
移動部材４６１は、第１直線部４５１に対し、第１直線部４５１が直線状に延びる方向に移動可能に取り付けられた部材である。移動部材４６１は、係合部４６２と、嵌合支持部４６３と、を有する。係合部４６２は、凹部４５５の中に配置され、抜け止め部４５６に係合し、凹部４５５に沿って第１直線部４５１の延びる方向に移動可能に構成されている。嵌合支持部４６３は、フック部４６５が嵌合されてフック部４６５を支持する孔４６４を有する。
【００６３】
フック部４６５は、ケーブル９１，９２，９３を引っ掛けることができるように上方に開放したＹ字型に形成された部位である。なお、Ｙ字型ではなく、Ｕ字型であってもよい。
【００６４】
第４実施形態によれば、フック部４６５が上方に開放した形に形成されているために、ケーブル９１，９２，９３が引っ掛かり易い。また、ケーブル９１，９２，９３が第１直線部４５１の上に這い回されるため、フック部４６５が破損してもケーブル９１，９２，９３の位置が維持される。
【００６５】
〔変形例１〕
第１〜第４実施形態では、半田鏝８１のケーブル９１は、第１制御器１２０に対してスイッチ部１１０及びケーブル１１１を介して間接的に接続されていた。この実施形態に限定されることなく、半田鏝８１のケーブル９１は、第１制御器１２０に対して直接的に接続されていてもよい。
【００６６】
第１〜第４実施形態では、支持部５０は、第１制御器１２０，第２制御器１３０，第３制御器１４０よりも高い位置に配置されていた。この実施形態に限定されることなく、支持部５０は、第１載置面１０１よりも高い位置であって第１制御器１２０，第２制御器１３０，第３制御器１４０よりも低い位置に、配置されていてもよい。
【００６７】
第１〜第４実施形態では、ガード部材７２は、透明な部材で構成されていた。この実施形態に限定されることなく、ガード部材７２の一部が透明な部材で構成され、ガード部材７２のその他の部分が不透明な部材で構成されていてもよい。
【００６８】
第１〜第４実施形態では、電気機器は、接続機器としての第１制御器１２０，第２制御器１３０，第３制御器１４０に、ケーブル９１，９２，９３によって接続されていた。この実施形態に限定されることなく、例えば、半田鏝８１自体に第１制御器１２０の構成が組み合わせられていて、これに対して接続機器としての電気を供給する電気供給部としての充電器（またはコンセント）がケーブルによって接続されている構成であってもよい。
【００６９】
第１〜第４実施形態では、電気機器として半田鏝８１、ワイヤーストリッパー８２、半田吸取鏝８３を例示して説明し、接続機器として第１制御器１２０，第２制御器１３０，第３制御器１４０を例示して説明し、接着材として半田を例示して説明した。この実施形態に限定されることなく、例えば、電気機器として紫外線硬化装置が用いられ、接続機器として紫外線量を制御する制御器が用いられ、接着材として紫外線硬化接着剤が用いられてもよい。なお、接着材としては、接着機能を有するその他の全てのものが含まれてもよい。
【００７０】
第１〜第４実施形態では、第１直線部５１，２５１，３５１，４５１に対して移動部材６１，２６１，３６１，４６１及びフック部６５，２６５，３６５，４６５が設けられる構成であった。この実施形態に限定されることなく、第２直線部５２，２５２，３５２，４５２に対して移動部材及びフック部が設けられる構成であってもよい。さらに、第１直線部５１，２５１，３５１，４５１及び第２直線部５２，２５２，３５２，４５２の両方に移動部材及びフック部が設けられる構成であってもよい。例えば、第１直線部５１，２５１，３５１，４５１が半田鏝８１のケーブル９１及びワイヤーストリッパー８２のケーブル９２を支持し、第２直線部５２，２５２，３５２，４５２が半田吸取鏝８３のケーブル９３を支持する構成であってもよい。この構成の場合には、ケーブル９１，９２、９３の重量を分散して支持できる利点がある。
【００７１】
第２実施形態では、第１直線部及び第２直線部の両方の長さを変更可能に構成されているが、これに制限されない。第１直線部又は第２直線部の一方のみの長さを変更可能に構成されていてもよい。
【００７２】
第１〜第４実施形態では、半田鏝８１，ワイヤーストリッパー８２，半田吸取鏝８３が半田鏝台８６，ストリッパー台８７，吸取鏝台８８に置かれて間接的に第１載置面１０１に載置される構成であったが、この実施形態に限定されない。例えば、半田鏝８１，ワイヤーストリッパー８２，半田吸取鏝８３が熱を帯びる部分が床に付かないようにするために、半田鏝８１，ワイヤーストリッパー８２，半田吸取鏝８３自体に支持部品が取り付けられたものがある場合には、半田鏝８１，ワイヤーストリッパー８２，半田吸取鏝８３が直接的に第１載置面１０１に載置される構成であってもよい。
【００７３】
以上、各種の実施形態を説明してきた。本発明の要旨を逸脱しない範囲において各実施形態及び各変形例を適宜組合せてもよい。例えば、支持部５０は、実施形態においては、平面視でＶ字型に前方に突出する形状を有しているが、これに制限されない。支持部は、平面視でＵ字型に前方に突出する形状を有していてもよい。
【符号の説明】
【００７４】
１０    床板
２０    載置板
５０，２５０，３５０    支持部
５１，２５１，３５１    第１直線部
５２，２５２，３５２    第２直線部
６０    柱
６１    移動部材
７１    アーム
７２    ガード部材
８１    半田鏝（電気機器）
８２    ワイヤーストリッパー（電気機器）
８３    半田吸取鏝（電気機器）
８６    半田鏝台（置台）
８７    ストリッパー台（置台）
８８    吸取鏝台（置台）
９１，９２，９３    ケーブル
１００  電気機器スタンド
１０１  第１載置面
１２０  第１制御器（接続機器）
１３０  第２制御器（接続機器）
１４０  第３制御器（接続機器）
２０１  第２載置面
【図１Ａ】
2020075316.tif 000003
【図１Ｂ】
2020075316.tif 000004
【図２Ａ】
2020075316.tif 000005
【図２Ｂ】
2020075316.tif 000006
【図２Ｃ】
2020075316.tif 000007
【図３】
2020075316.tif 000008
【図４Ａ】
2020075316.tif 000009
【図４Ｂ】
2020075316.tif 000010
【図５】
2020075316.tif 000011
【図６】
2020075316.tif 000012
【図７Ａ】
2020075316.tif 000013
【図７Ｂ】
2020075316.tif 000014
【図８Ａ】
2020075316.tif 000015
【図８Ｂ】
2020075316.tif 000016